(57)【要約】      （修正有）【課題】椅子に腰掛け机上に伏した状態での仮眠若しくは休憩を快適にし、デザイン性と携帯性を兼ね備えた道具を提供する。【解決手段】支持台は、机やテーブルでの仮眠や休憩の際、体重を胸を通して、机やテーブルの縁よりも更に手前上方の位置で受け止める為に、机やテーブルの縁に設置可能な切り欠き部分と、胸をあずける為のなだらかな面を持つ。支持台を使用中ふいに体を動かした時に机やテーブルから落下することを防ぎ、また携帯を容易にする為の首に掛ける紐をほどこす。【選択図】図１
0003173635.tif 000002
【実用新案登録請求の範囲】
【請求項１】
机手前の縁に設置し、上半身の重量を縁よりも手前上方で受け止めることを可能とした支持台。
【請求項２】
支持台と胸との接触面を胸骨に限定することで、乳房を圧迫せずに済む形状。
【請求項３】
落下を防ぐとともに、携帯を容易にする為に取り付けられた紐。
【請求項４】
人前で使い易くするために施された絵柄及び形状のデザイン。
【請求項５】
休憩時に必要な小物等を収納可能な構造。
【考案の詳細な説明】
【技術分野】
【０００１】
本考案は、机やテーブルでの仮眠及び休憩を快適にし、しかもそれを自宅だけでなく、職場の机や社員食堂のテーブルのような場所でも使い易くする為のものである。
【背景技術】
【０００２】
椅子に腰掛け机上に伏した状態で仮眠若しくは休憩をとると、机と体との接点は主に頭部と前腕部に限られる為、上半身を前方に傾けることによって生ずる重さを全て、頚部と両肩を通して机上に伝えられる事となり、仮眠中は絶えず頚部及び両肩に余計な負担が掛かっていた。図３は机上での通常の仮眠の状態を示した側面図である。
【０００３】
その為、机上での仮眠や休憩中、またその直後に頚部及び両肩へ不快感を感ずることがあった。
【０００４】
特に頚部及肩に怪我や病気、また障害を持った者にとっては、その部分の不快感を増幅させる原因ともなっていた。
【０００５】
もし、頚部及び両肩への重量を軽減する為に、胸を机の縁に持たれ掛けようとすると、上半身の前傾角度を深くせねばならず、こうなると顔面と机との距離が狭まり、暑苦しさを覚えた。
【０００６】
また、その状態では上腕の挙上角度を更に上げねばならず、肩関節の負担が増した。図２は胸を机の縁に押し当てた状態を示した側面図である。
【０００７】
しかも、女性にとっては硬い机の縁に胸を押し当てることとなり、乳腺炎を持つ者や生理時は痛みを覚える事があった。
【０００８】
机上での仮眠若しくは休憩を、より快適にする道具としては、頭部や顔面を受け止める為のクッションや支持台のようなものが以前よりあったが、それらの道具の主な目的は硬い机との接触を心地よくすることであった。
【０００９】
一方、首や胸を支える機能を持った道具は大掛かりで持ち運びに不便であり、昼食休憩後に社員食堂などのテーブルで使用することは想定されていなかった。
【先行技術文献】
【特許文献】
【００１０】
【特許文献１】特開２００９−２９７４８６
【特許文献２】特開２００８−２５９７８７
【特許文献３】特開２００７−１８１５０７
【特許文献４】特開２００７−０３７９６０
【特許文献５】実登３１３８８８５
【特許文献６】実登３１２０９２６
【特許文献７】実登３１０５２０６
【特許文献８】実登３０７４６８５
【特許文献９】米抄００６７２１９７８
【考案の概要】
【考案が解決しようとする課題】
【００１１】
解決しようとする問題点は、従来の道具と方法では頚部及び両肩に多くの重量負荷が掛かってしまっている点である。
【００１２】
また、顔面と机との距離が近すぎて暑苦しさを覚える点である。
【００１３】
更に、胸を机に押し当てることによって、乳房を圧迫してしまう点である。
【００１４】
従来の道具ではデザイン性と携帯性に乏しく、自室の机以外では使いづらい点である。
【課題を解決するための手段】
【００１５】
本考案は、机の縁に胸部を支える台となるものを設置し、机と胸との接点を机の縁よりも手前上部に設けることを主要な特徴とする。
【００１６】
また、支持台と胸部との接触を胸骨部分に限定出来る形状とする。
【００１７】
更に、支持台に弾力性のある素材を用いる。
【００１８】
紐を付けて首からさげられるようにする。
【００１９】
花柄などの柄を施したり、形状を動物や自動車などの形を模する。
【００２０】
収納の為のポケットや空間を設ける。
【考案の効果】
【００２１】
本考案の支持台を用い、机と胸との接点を手前上部に設けることにより、確実に胸部を通して体重を机に伝えることが可能となり、その分頚部及び両肩への重量負荷の軽減に繋がる。図１は本考案を用いた場合の側面図である。
【００２２】
更に、支持台の設置により上半身の前傾角度が浅くなるため、顔面と机との距離が十分に広がる。
【００２３】
また、支持台と胸との接触を胸骨に限定することにより、乳房への圧迫及び痛みを防ぐことができる。図４は女性が本考案を用いた場合の側面図である。
【００２４】
紐を使って首からさげることで携帯性が高まり、更に使用時にも机から落下することがない。図５
【００２５】
デザイン性が高まり、職場や学校の食堂など、半ば公共的な場所でも楽しく使える。図７・図８はデザイン例を示したものである。
【００２６】
収納スペースに休憩時に必要な小物を入れることで、本考案支持台以外の持ち物を減らし、結果として本考案支持台の使用を促すことができる。図９は収納スペースを設けた例である。
【図面の簡単な説明】
【００２７】
【図１】図１は本考案を用いた状態を示した側面図である。
【図２】図２は胸を机の縁に押し当てた状態を示した側面図である。
【図３】図３は机上での通常の休憩の状態を示した側面図である。
【図４】図４は本考案を女性が用いた場合の側面図である。
【図５】図５は胸と机の接点の違いを示した説明図である。
【図６】図６は本考案の支持台の全体図である。
【図７】図７は様々な絵柄のデザイン例を示した図である。
【図８】図８は様々な形状のデザイン例を示した図である。
【図９】図９は小物収納の為のポケットや空間を設けた例を示した図である。
【考案を実施するための形態】
【００２８】
体重を机に伝える位置を机の縁よりも手前上部に設定する為の支持台の形状。
【００２９】
胸との接触を胸骨部分に限定し、乳房を圧迫しない為に支持台の幅を狭くする。
【００３０】
支持台が机からの落下するのを防ぐ為に、支持台に紐を付け首に架ける。
【００３１】
花柄などの柄を施したり、形状を動物や自動車などの形を模する。
【００３２】
収納スペースを設ける。
【実施例１】
【００３３】
図６は本考案支持台を３方向から描いた図である。
【００３４】
図１は、本考案支持台を用いた場合の側面図である。
【００３５】
上半身の重量を胸を通して机に伝えることが容易となる。
【００３６】
また顔面、特に鼻や口元と机の距離も十分である。
【実施例２】
【００３７】
図４は本考案支持台を女性が用いた場合の側面図である。
【００３８】
クッション部分と胸との接触を胸骨付近に限定している為、乳房も圧迫される事がない。
【実施例３】
【００３９】
図５は胸と机の接点の違いを示した側面図である。３が通常の場合の胸と机の接点Ｂである。２が本考案により手前上部に設定された接点Ａである。
【００４０】
また、支持台に取り付けた紐４を首に架けることにより、使用中に支持台が机から落下するのを防ぐとともに持ち運びを容易にし、自分の机だけでなく、昼食休憩後に社員食堂等のテーブルで使用することも可能になる。
【実施例４】
【００４１】
さらに、図７・図８の様に絵柄を施したり、形状を象・バクなどの動物、更には自動車などの形を模することで、比較的抵抗無く人前で使用出来る。
【実施例５】
【００４２】
さらに図９のようにポケットや空間を設けることにより、休憩時に必要な小物等を入れることも可能になる。
【符号の説明】
【００４３】
１    支持台
２    接点Ａ
３    接点Ｂ
４    紐
【図１】
0003173635.tif 000003
【図２】
0003173635.tif 000004
【図３】
0003173635.tif 000005
【図４】
0003173635.tif 000006
【図５】
0003173635.tif 000007
【図６】
0003173635.tif 000008
【図７】
0003173635.tif 000009
【図８】
0003173635.tif 000010
【図９】
0003173635.tif 000011
【手続補正書】
【提出日】平成23年12月2日(2011.12.2)
【手続補正１】
【補正対象書類名】実用新案登録請求の範囲
【補正対象項目名】全文
【補正方法】変更
【補正の内容】
【実用新案登録請求の範囲】
【請求項１】
机やテーブルでの仮眠や休憩の際、体重を胸を通して、机やテーブルの縁よりも更に手前上方の位置で受け止める為に、机やテーブルの縁に設置可能な切り欠き部分と、胸をあずける為のなだらかな面を持つことを特徴とする支持台。
【請求項２】
前記支持台を使用中ふいに体を動かした時に机やテーブルから落下することを防ぎ、また携帯を容易にする為の首に掛ける紐をほどこすことを特徴とする、請求項１に記載の支持台。
【請求項３】
前記支持台の表面に任意の絵柄をほどこすことを特徴とする、請求項１から請求項２のいずれか１項に記載の支持台。
【請求項４】
前記支持台を動物や自動車の形状を模したことを特徴とする、請求項１から請求項３のいずれか１項に記載の支持台。
【請求項５】
前記支持台の内部に空洞を設けたり、側面にポケットを持つことを特徴とする、請求項１から請求項４のいずれか１項に記載の支持台。